(57)【要約】【課題】表示画面への接触操作によりユーザによる表示画面への接触位置に基づいてスクロール速度を設定し、表示画面上に表示された情報を迅速にスクロールさせ、所望の情報を表示させうる情報表示装置を得る。【解決手段】接触位置から最も近い端辺との距離Ｌに応じて地図情報のスクロール速度を決定する。距離Ｌが等速領域１０１ａにある場合、スクロール速度が最高速度ＨｉＳに決定される。距離Ｌが停止領域１０１ｃにある場合、スクロール速度が０に決定される。距離Ｌが調整領域１０１ｂにある場合、スクロール速度ＣＳは、ＣＳ＝（ＨｉＳ−ＬｏＳ）／（Ｓ−Ｔ）・（Ｌ−Ｓ）＋ＨｉＳとなる。ここで、ＬｏＳは、調整領域１０１ｂと停止領域１０１ｃとの境界におけるスクロール速度ＣＳ、Ｓは等速領域１０１ａと調整領域１０１ｂとの境界から最も近い端辺との距離、Ｔは調整領域１０１ｂと停止領域１０１ｃとの境界から最も近い端辺との距離である。【選択図】図２
2010146358.tif 000002
【特許請求の範囲】
【請求項１】
情報を表示する表示画面と、
前記表示画面への接触操作による前記表示画面上の接触位置を検出する接触位置取得部と、
前記接触位置取得部が検出した接触位置と前記表示画面の所定位置との距離を求める距離演算部と、
前記距離演算部が求めた距離に応じて前記表示画面に表示される情報のスクロール速度を決定するスクロール速度決定部と、
前記スクロール速度決定部が決定したスクロール速度に応じて、前記表示画面に表示されている情報をスクロールするスクロール制御部とを備える情報表示装置。
【請求項２】
前記表示画面は矩形形状を有し、前記所定位置は前記表示画面の端辺である請求項１に記載の情報表示装置。
【請求項３】
前記表示画面は矩形形状を有し、前記所定位置は前記表示画面の隅角部である請求項１に記載の情報表示装置。
【請求項４】
前記表示画面は円形状であって、前記所定位置は前記表示画面の中央位置である請求項１に記載の情報表示装置。
【請求項５】
前記接触位置取得部が検出した接触位置と前記表示画面の所定位置とが成す方角を求める方角演算部と、
前記方角演算部が求めた方角に応じて前記表示画面に表示される情報のスクロール方向を決定するスクロール方向決定部とをさらに備える請求項１に記載の情報表示装置。
【請求項６】
前記スクロール速度決定部は、前記接触位置取得部が検出した接触位置と前記表示画面の所定位置との距離が大きくなるにつれて前記スクロール速度を速くする請求項１に記載の情報表示装置。
【請求項７】
前記表示画面は外縁部に等速領域を有し、前記接触位置取得部が検出した接触位置が前記等速領域内にあるとき、前記スクロール速度決定部は前記スクロール速度を最高速度に決定する請求項１に記載の情報表示装置。
【請求項８】
前記表示画面は中央に停止領域を有し、前記接触位置取得部が検出した接触位置が前記停止領域内にあるとき、前記スクロール速度決定部は前記スクロールを停止する請求項１に記載の情報表示装置。
【請求項９】
前記表示画面は、外縁部に等速領域を、中央に停止領域を、前記等速領域と前記停止領域との間に調整領域を有し、
前記接触位置取得部が検出した接触位置が前記等速領域内にあるとき、前記スクロール速度決定部はスクロール速度を最高速度ＨｉＳに決定し、
前記接触位置取得部が検出した接触位置が前記停止領域内にあるとき、前記スクロール速度決定部はスクロール速度を０に決定し、
前記接触位置取得部が検出した接触位置が前記調整領域内の最も前記停止領域寄りにあるとき、前記スクロール速度決定部はスクロール速度を最低速度ＬｉＳに決定し、
前記スクロール速度決定部は、前記調整領域内のスクロール速度を、前記接触位置取得部が検出した接触位置と前記接触位置に最も近い前記端辺との距離Ｌが増加するにつれて、最低速度ＬｉＳから最高速度ＨｉＳまで線形に増加させる請求項２に記載の情報表示装置。
【請求項１０】
前記等速領域と前記調整領域との境界から最も近い端辺との距離をＳとし、前記調整領域と前記停止領域との境界から最も近い端辺との距離をＴとし、前記最高速度をＨｉＳとし、前記最低速度をＬｉＳとし、前記接触位置取得部が検出した接触位置から最も近い端辺との距離をＬとしたとき、前記スクロール速度決定部は、前記調整領域内のスクロール速度ＣＳを以下の式により決定する請求項９に記載の情報表示装置。
ＣＳ＝（ＨｉＳ−ＬｏＳ）／（Ｓ−Ｔ）・（Ｌ−Ｓ）＋ＨｉＳ
【請求項１１】
表示画面への接触操作がなくなったことを前記接触位置取得部が検出すると、前記スクロール速度決定部はスクロール速度を連続的に減少させる請求項１に記載の情報表示装置。
【請求項１２】
前記情報は地図情報であって、前記表示画面は地図情報を表示する請求項１に記載の情報表示装置。
【請求項１３】
前記情報をサーバから取得する情報取得部をさらに備え、
前記表示画面は前記情報取得部が取得した情報を表示する請求項１に記載の情報表示装置。
【請求項１４】
情報を記録するサーバ記録部と、
請求項１３に記載の情報表示装置から所定の情報に対する送信要求があったとき、前記所定の情報を前記サーバ記録部から読み出して送信するサーバ情報送信部とを備えるサーバ。
【請求項１５】
請求項１に記載の情報表示装置と、
請求項１４に記載のサーバとを備える情報表示システム。
【請求項１６】
表示画面への接触操作による前記表示画面上の接触位置を取得する接触位置取得ステップと、
前記接触位置と前記表示画面の中央位置との距離を求める距離演算ステップと、
前記距離に応じて前記表示画面に表示される情報のスクロール速度を決定するスクロール速度決定ステップと、
前記スクロール速度決定ステップにおいて決定されたスクロール速度に応じて、情報をスクロールして前記表示画面に表示する情報表示ステップとを備える情報表示方法。
【請求項１７】
表示画面への接触操作による前記表示画面上の接触位置を取得する接触位置取得ステップと、
前記接触位置と前記表示画面の中央位置との距離を求める距離演算ステップと、
前記距離に応じて前記表示画面に表示される情報のスクロール速度を決定するスクロール速度決定ステップと、
前記スクロール速度決定ステップにおいて決定されたスクロール速度に応じて、情報をスクロールして前記表示画面に表示する情報表示ステップとを情報表示装置に実行させる情報表示プログラム。
【発明の詳細な説明】
【技術分野】
【０００１】
本発明は、表示画面に表示された情報をスクロールさせて表示することが可能な情報表示装置および方法に関する。
【背景技術】
【０００２】
近年、コンピュータ等の表示画面に情報、例えば地図を表示する情報表示装置が知られている。利用者は表示画面に表示された地図を認知して地物の位置確認を行う。表示画面の大きさは有限であるため、表示画面に表示された地図の外に位置する地物は、表示画面に表示されない。表示画面に表示されない地物を認知するため、利用者は、指等で表示画面に接触することにより表示画面上で地図を移動、すなわちスクロールさせる。
【０００３】
しかし、地図をスクロールさせる速度、すなわちスクロール速度が一定の値である場合、現在表示されている地図から離れた場所の地図を参照するためには、長時間、スクロールを行うか、あるいは地図の縮尺を変更した後に所望の地点まで地図をスクロールし、さらに縮尺を元に戻す必要がある。
【０００４】
これを解決するため、表示画面に感圧センサを設け、利用者が表示画面に接触する圧力を感知して、この圧力に応じて地図のスクロール速度を変化させる情報表示装置が知られている（特許文献１）。
【特許文献１】特開２００２−２１３９８９号公報
【発明の開示】
【発明が解決しようとする課題】
【０００５】
この構成では、情報表示装置が感圧センサを備えなければならず、装置が複雑化してコストが上昇する。また、表示画面に接触する圧力は個人差があり、圧力に応じた速度をあらかじめ決定することが困難である。さらに、どの程度の圧力を加えれば、どの程度のスクロール速度になるかを利用者が直感的に把握することが困難である。
【０００６】
本発明は、このような問題を鑑みてなされたものであり、表示画面への接触操作によりユーザによる表示画面への接触位置に基づいてスクロール速度を設定し、表示画面上に表示された情報を迅速にスクロールさせ、所望の情報を表示させうる情報表示装置を得ることを目的とする。
【課題を解決するための手段】
【０００７】
本願第１の発明による情報表示装置は、情報を表示する表示画面と、表示画面への接触操作による表示画面上の接触位置を検出する接触位置取得部と、接触位置取得部が検出した接触位置と表示画面の所定位置との距離を求める距離演算部と、距離演算部が求めた距離に応じて表示画面に表示される情報のスクロール速度を決定するスクロール速度決定部と、スクロール速度決定部が決定したスクロール速度に応じて、表示画面に表示されている情報をスクロールするスクロール制御部とを備えることを特徴とする。
【０００８】
表示画面は矩形形状を有し、所定位置は表示画面の端辺が好適である。
【０００９】
表示画面は矩形形状を有し、所定位置は表示画面の隅角部であってもよい。
【００１０】
表示画面は円形状であって、所定位置は表示画面の中央位置であってもよい。
【００１１】
情報表示装置は、接触位置取得部が検出した接触位置と表示画面の所定位置とが成す方角を求める方角演算部と、方角演算部が求めた方角に応じて表示画面に表示される情報のスクロール方向を決定するスクロール方向決定部とをさらに備えることが好ましい。
【００１２】
スクロール速度決定部は、接触位置取得部が検出した接触位置と表示画面の所定位置との距離が大きくなるにつれてスクロール速度を速くすることが好ましい。
【００１３】
表示画面は外縁部に等速領域を有し、接触位置取得部が検出した接触位置が等速領域内にあるとき、スクロール速度決定部はスクロール速度を最高速度に決定することが好ましい。
【００１４】
表示画面は中央に停止領域を有し、接触位置取得部が検出した接触位置が停止領域内にあるとき、スクロール速度決定部はスクロールを停止することが好ましい。
【００１５】
表示画面は、外縁部に等速領域を、中央に停止領域を、等速領域と停止領域との間に調整領域を有し、接触位置取得部が検出した接触位置が等速領域内にあるとき、スクロール速度決定部はスクロール速度を最高速度ＨｉＳに決定し、接触位置取得部が検出した接触位置が停止領域内にあるとき、スクロール速度決定部はスクロール速度を０に決定し、接触位置取得部が検出した接触位置が調整領域内の最も停止領域寄りにあるとき、スクロール速度決定部はスクロール速度を最低速度ＬｉＳに決定し、スクロール速度決定部は、調整領域内のスクロール速度を、接触位置取得部が検出した接触位置と接触位置に最も近い端辺との距離Ｌが増加するにつれて、最低速度ＬｉＳから最高速度ＨｉＳまで線形に増加させることが好ましい。
【００１６】
等速領域と調整領域との境界から最も近い端辺との距離をＳとし、調整領域と停止領域との境界から最も近い端辺との距離をＴとし、最高速度をＨｉＳとし、最低速度をＬｉＳとし、接触位置取得部が検出した接触位置から最も近い端辺との距離をＬとしたとき、スクロール速度決定部は、前記調整領域内のスクロール速度ＣＳを以下の式により決定することが好ましい。
ＣＳ＝（ＨｉＳ−ＬｏＳ）／（Ｓ−Ｔ）・（Ｌ−Ｓ）＋ＨｉＳ
【００１７】
表示画面への接触操作がなくなったことを接触位置取得部が検出すると、スクロール速度決定部はスクロール速度を連続的に減少させてもよい。
【００１８】
情報は地図情報であって、表示画面は地図情報を表示することが好ましい。
【００１９】
情報表示装置は、情報をサーバから取得する情報取得部をさらに備え、表示画面は情報取得部が取得した情報を表示することが好ましい。
【００２０】
本願第２の発明によるサーバは、情報を記録するサーバ記録部と、前記情報表示装置から所定の情報に対する送信要求があったとき、所定の情報をサーバ記録部から読み出して送信するサーバ情報送信部とを備えることを特徴とする。
【００２１】
本願第３の発明による情報表示システムは、前記情報表示装置と、前記サーバとを備えることを特徴とする。
【００２２】
本願第４の発明による情報表示方法は、表示画面への接触操作による表示画面上の接触位置を取得する接触位置取得ステップと、接触位置と表示画面の中央位置との距離を求める距離演算ステップと、距離に応じて表示画面に表示される情報のスクロール速度を決定するスクロール速度決定ステップと、スクロール速度決定ステップにおいて決定されたスクロール速度に応じて、情報をスクロールして表示画面に表示する情報表示ステップとを備えることを特徴とする。
【００２３】
本願第６の発明による情報表示プログラムは、表示画面への接触操作による表示画面上の接触位置を取得する接触位置取得ステップと、接触位置と表示画面の中央位置との距離を求める距離演算ステップと、距離に応じて表示画面に表示される情報のスクロール速度を決定するスクロール速度決定ステップと、スクロール速度決定ステップにおいて決定されたスクロール速度に応じて、情報をスクロールして表示画面に表示する情報表示ステップとを情報表示装置に実行させることを特徴とする。
【発明の効果】
【００２４】
本発明によれば、表示画面への接触操作によりユーザによる表示画面への接触位置に基づいてスクロール速度を設定し、表示画面上に表示された情報を迅速にスクロールさせ、所望の情報を表示させうる情報表示装置を得る。
【発明を実施するための最良の形態】
【００２５】
以下、本発明による情報表示システムの一実施形態である地図表示システムについて添付図面を参照して説明する。
【００２６】
まず、地図表示システムについて図１から図３を用いて説明する。地図表示システムは、クライアントである地図表示装置１００と、地図サーバ２００とから構成される。地図表示装置１００はインターネット３００を介して地図サーバ２００に接続される。
【００２７】
地図表示装置１００は、表示部１０１、接触位置取得部１０２、距離演算部１０３、スクロール速度決定部１０４、スクロール制御部１０５、及び方角演算部１０６、クライアント記憶部１０７、及びクライアント送受信部１０８から主に構成される。
【００２８】
表示部１０１は、天地方向に伸びる矩形形状を有し、地図情報等の情報を表示する画面である（図２参照）。表示部１０１の左上隅を原点Ｏとし、短辺右手方向に伸びるＸ軸と、長辺下方に伸びるＹ軸とからなる座標系を有する。Ｘ軸最大値はｗ、Ｙ軸最大値はｈである。表示部１０１は、外縁部に等速領域１０１ａ、中央に停止領域１０１ｃ、等速領域１０１ａと停止領域１０１ｃとの間に調整領域１０１ｂを有する。等速領域１０１ａは、表示部１０１の短辺から距離Ｓ未満までの領域である。調整領域１０１ｂは、表示部１０１の短辺から距離Ｓだけ離れた位置から、表示部１０１の短辺から距離Ｔだけ離れた位置までの領域である。停止領域１０１ｃは、表示部１０１の短辺から距離Ｔだけ離れた位置により囲まれる領域である。等速領域１０１ａと調整領域１０１ｂとの境界、及び調整領域１０１ｂと停止領域１０１ｃとの境界は調整領域１０１ｂに含まれる。
【００２９】
クライアント記憶部１０７は、地図情報を記録する。クライアント送受信部１０８は、地図サーバ２００に対して地図情報を要求する。地図サーバ２００は要求を受信して地図表示装置１００に地図情報を送信する。地図情報の送受信は、例えばＡｊａｘと呼ばれるＸＭＬ非同期通信により行われる。クライアント送受信部１０８は地図情報を受信し、クライアント記憶部１０７に記憶させる。
【００３０】
接触位置取得部１０２は、表示部１０１の面積と略同じ面積を有し、表示部１０１の上を覆うように設けられるタッチパネルである。タッチセンサが接触位置取得部１０２に設けられ、ユーザが接触位置取得部１０２を指又はスタイラス等で触ると、接触位置取得部１０２はタッチセンサにより接触位置の座標を取得する。
【００３１】
距離演算部１０３は、接触位置取得部１０２が取得した接触位置の座標を用いて、接触位置から最も近い端辺との距離Ｌを算出し、等速領域１０１ａ、停止領域１０１ｃ、又は調整領域１０１ｂのいずれの中に接触位置があるかを判断する。接触位置の座標が（ｘ１，ｙ１）で表されるとき、ｘ１＞ｙ１であるならば距離Ｌはｙ１、ｘ１＜ｙ１であるならば距離Ｌはｘ１となる。距離Ｌが０＜Ｌ＜Ｓであるとき、接触位置は等速領域１０１ａ内にある。距離ＬがＳ≦Ｌ≦Ｔであるとき、接触位置は調整領域１０１ｂ内にある。距離ＬがＴ＜Ｌであるとき、接触位置は停止領域１０１ｃ内にある。
【００３２】
スクロール速度決定部１０４は、距離演算部１０３が算出した距離Ｌに応じて地図情報のスクロール速度ＣＳを決定する。距離Ｌが等速領域１０１ａにある場合、スクロール速度ＣＳが最高速度ＨｉＳに決定される。距離Ｌが停止領域１０１ｃにある場合、スクロール速度ＣＳが０に決定される。距離Ｌが調整領域１０１ｂにある場合、スクロール速度ＣＳは、以下の数式により求められる（図３参照）。
ＣＳ＝（ＨｉＳ−ＬｏＳ）／（Ｓ−Ｔ）・（Ｌ−Ｓ）＋ＨｉＳ
ここで、ＬｏＳは、調整領域１０１ｂと停止領域１０１ｃとの境界におけるスクロール速度ＣＳ、Ｓは等速領域１０１ａと調整領域１０１ｂとの境界から最も近い端辺との距離、Ｔは調整領域１０１ｂと停止領域１０１ｃとの境界から最も近い端辺との距離である。
【００３３】
方角演算部１０６は、スクロールの方向を演算する。地図の中心点Ｃから接触位置までの方角ベクトルＤｖがスクロール方向となる。地図の中心点Ｃの座標は（ｗ／２，ｈ／２）であるから、方角ベクトルＤｖは（ｗ／２−ｘ１，ｈ／２−ｙ１）で表される。
【００３４】
スクロール制御部１０５は、スクロール速度決定部１０４が決定したスクロール速度ＣＳ及び方角演算部１０６が演算した方角ベクトルＤｖに応じて、表示部１０１に表示される地図情報をスクロールさせる。スクロール後に表示する地図はクライアント記憶部１０７から読み出される。クライアント記憶部１０７がスクロール後に表示する地図を記憶していない場合、クライアント送受信部１０８が地図サーバ２００から地図情報を取得する。
【００３５】
次に、地図サーバ２００について説明する。
【００３６】
地図サーバ２００は、地図情報を記録するサーバ記憶部２２０、及び地図表示装置１００とデータを送受信するサーバ送受信部２１０から主に構成される。
【００３７】
サーバ記憶部２２０は、地図を表示するために用いられる地図情報を記録する。地図情報は、ラスタデータから成るメッシュ地図から成る。メッシュ地図は、一定の縮尺の地図を一定の範囲に区切ることにより得られ、メッシュ地図の範囲を示す緯度経度情報、及び縮尺と関連付けられて記録される。
【００３８】
サーバ送受信部２１０は、地図情報に対する要求を地図表示装置１００から受信し、地図情報を地図表示装置１００に送信する。
【００３９】
サーバ送受信部２１０が、地図情報に対する要求を受信すると、サーバ記憶部２２０は、要求に応じて地図情報を検索し、得られた地図情報をサーバ送受信部に送信する。サーバ送受信部２１０は、得られた地図情報を地図表示装置１００に送信する。
【００４０】
次に、表示部１０１に表示される地図情報を地図表示装置１００がスクロールさせるために実行されるスクロール処理について、図４及び図５を用いて説明する。スクロール処理は、地図表示装置１００の電源投入と共に実行され、所定の時間間隔で反復実行される。スクロール処理の開始時において、表示部１０１に地図情報が表示されている（図５参照）。なお、図５において等速領域１０１ａ、調整領域１０１ｂ、及び停止領域１０１ｃの境界を破線により示したが、実際の表示部１０１には表示されない。
【００４１】
図４を参照すると、ステップＳ３０１では、表示部１０１をユーザが指又はスタイラス等で触ることを待つ。ユーザが表示部１０１に触ると、処理がステップＳ３０２に進む。
【００４２】
ステップＳ３０２では、接触位置取得部１０２が接触位置の座標を取得する。以下、接触位置の座標が（ｘ１，ｙ１）であるとして説明する。
【００４３】
ステップＳ３０３では、接触位置の座標が等速領域１０１ａ、停止領域１０１ｃ、又は調整領域１０１ｂのいずれの中にあるかを距離演算部１０３が判断する。距離演算部１０３は、接触位置の座標を用いて、接触位置から最も近い端辺との距離Ｌを算出し、距離Ｌに応じて接触位置がいずれの領域内にあるかを判断する。接触位置が停止領域１０１ｃ内にあるとき、処理はステップＳ３０１に戻る。すなわち、スクロール速度ＣＳを０に決定し、地図をスクロールしない。接触位置が等速領域又は調整領域１０１ｂ内にあるとき、処理はステップＳ３０４に進む。
【００４４】
ステップＳ３０４では、スクロール速度決定部１０４がスクロール速度ＣＳを演算する。距離Ｌが等速領域１０１ａにある場合、スクロール速度ＣＳが最高速度ＨｉＳに決定される。距離Ｌが調整領域１０１ｂにある場合、前述の数式により求められる。
【００４５】
ステップＳ３０５では、方角演算部１０６がスクロール方向を演算する。スクロール方向は、方角ベクトルＤｖ（ｗ／２−ｘ１，ｈ／２−ｙ１）で表される。
【００４６】
ステップＳ３０６では、スクロール制御部１０５が、スクロール速度ＣＳ及び方角ベクトルＤｖに応じて、表示部１０１に表示されている地図情報をスクロールさせる。スクロール後に表示する地図はクライアント記憶部１０７から表示部１０１により読み出される。クライアント記憶部１０７がスクロール後に表示する地図を記憶していない場合、クライアント送受信部１０８が地図サーバ２００から地図情報を取得する。そして、スクロール後に表示する地図を表示部１０１が表示する。
【００４７】
ステップＳ３０７では、ユーザが表示部１０１から指又はスタイラス等を離したか否かを判断する。離していない場合、処理はステップＳ３０６に戻り、地図のスクロールを継続する。離した場合、処理はステップＳ３０８に進む。
【００４８】
ステップＳ３０８では、地図のスクロールを停止する。このとき、スクロール速度ＣＳは段階的に低下される。すなわち、地図のスクロール速度ＣＳが次第に低下した後、スクロールが停止する。
【００４９】
そして、スクロール処理が終了する。
【００５０】
これにより、ユーザが直感的に地図をスクロールさせることが可能となる。
【００５１】
スクロール処理を所定の時間間隔で反復実行することにより、ユーザが接触位置を変更すると、地図のスクロール速度及びスクロール方向がユーザが望むように変更される。例えば、ユーザが画面に接触したまま、接触位置を調整領域１０１ｂから停止領域１０１ｃに移動させた場合、地図のスクロールが停止する。接触位置を調整領域１０１ｂから等速領域１０１ａに移動させた場合、地図のスクロール速度ＣＳが最高速度ＨｉＳに固定される。接触位置を変更することにより、地図のスクロール速度及びスクロール方向を変更できるため、ユーザは、より直感的に地図をスクロールさせることができる。
【００５２】
なお、スクロール速度ＣＳを段階的に低下させず、即座にスクロールを停止させてもよい。
【００５３】
また、スクロール速度ＣＳは前記数式により決定されなくてもよく、最高速度ＨｉＳから最低速度ＬｏＳまで非線形に変化してもよい。
【００５４】
なお、サーバから取得して表示部１０１に表示される情報は、地図に限定されず、表示部１０１に全体を表示することができない情報であればよい。例えば、ピクセル数が表示部１０１よりも大きい画像情報や、複数の画像をそれらの属性に応じて二次元平面上にマッピングして得られる情報であっても良い。
【００５５】
なお、表示部１０１は円形であってもよい。このとき、円形の中心からの距離に応じてスクロール速度ＣＳが決定される。
【００５６】
表示部１０１の中心Ｃからの距離に応じてスクロール速度ＣＳを決定してもよい。中心Ｃから接触位置までの距離が遠くなるに従って、スクロール速度ＣＳが速くなる。
【００５７】
矩形の表示部１０１の４つの隅角部からの最短距離に応じてスクロール速度ＣＳを決定してもよい。接触位置が隅角部に近づくに従って、スクロール速度ＣＳが速くなる。
【００５８】
また、地図表示装置１００が地図情報をクライアント記憶部１０７に記憶し、地図サーバ２００から地図情報を取得しなくてもよい。
【図面の簡単な説明】
【００５９】
【図１】本発明による地図表示システムのブロック図である。
【図２】表示画面の概略図である。
【図３】距離Ｌとスクロール速度との関係を示したグラフである。
【図４】スクロール処理を示したフローチャートである。
【図５】表示画面に表示された地図を示した図である。
【符号の説明】
【００６０】
１００  地図表示装置
１０１  表示部
１０１ａ  等速領域
１０１ｂ  調整領域
１０１ｃ  停止領域
１０２  接触位置取得部
１０３  距離演算部
１０４  スクロール速度決定部
１０５  スクロール制御部
１０６  方角演算部
１０７  クライアント記憶部
１０８  クライアント送受信部
２００  地図サーバ
２１０  サーバ送受信部
２２０  サーバ記憶部
３００  インターネット
ＣＳ  スクロール速度
Ｄｖ  方角ベクトル
【図１】
2010146358.tif 000003
【図２】
2010146358.tif 000004
【図３】
2010146358.tif 000005
【図４】
2010146358.tif 000006
【図５】
2010146358.tif 000007